【事件の表示】
　平成１０年特許願第５４０６１８号「印刷可能な電子ディスプレイ」拒絶査定不服審判事件〔平成１０年　９月２４日国際公開、ＷＯ９８／４１８９８、平成１４年　３月１９日国内公表、特表２００２−５０８８４９〕について、次のとおり審決する。
【結　論】
　本件審判の請求は、成り立たない。
【理　由】
Ｉ．手続の経緯
　本願手続の概要は、次のとおりである。
　国際出願　　　　　　　　平成１０年　３月　６日
（パリ条約による優先権主張１９９７年　３月１８日、米国）
　拒絶理由通知書発送　　　平成１８年　３月１４日
　意見書・手続補正書提出　平成１８年　９月１４日
　拒絶査定謄本送達　　　　平成１８年１２月１９日
　審判請求　　　　　　　　平成１９年　３月１９日
　手続補正書提出　　　　　平成１９年　３月１９日
　
II．平成１９年３月１９日付け手続補正についての補正却下の決定
［Ｉ］補正却下の決定の結論
　平成１９年３月１９日付け手続補正を却下する。
　
［II］理由
１．本件補正・本願補正発明
　平成１９年３月１９日付け手続補正（以下、「本件補正」という。）は、本願特許請求の範囲の請求項１及び２を
「【請求項１】
　ａ．第１の組の電極と、
　ｂ．前記第１の組の電極に対して交差パターンで配置された第２の組の電極っであって、前記第１の組の電極と該第２の組の電極は互いに接触しないようにされていることからなる第２の組の電極と、
　ｃ．粒子ベースの、非放射性ディスプレイと、
　ｄ．複数の非線形要素
とからなる印刷可能な電子ディスプレイシステムであって、
　該
れ、
　前記非放射性ディスプレイが、複数の、マイクロカプセル化された個別の電気泳動式ディスプレイ素子からなる電気泳動式ディスプレイであり、
　前記非線形要素が印刷可能である
【請求項２】
　前記非放射性ディスプレイが、回転球式ディスプレイである、請求項１のディスプレイシステム。」
と補正することを含むものである。
　ここで、本願請求項２に係る発明は、本願明細書の記載からみて、「非放射性ディスプレイ」が、請求項１の「複数の、マイクロカプセル化された個別の電気泳動式ディスプレイ素子からなる電気泳動式ディスプレイ」に代えて、「回転球式ディスプレイ」であるものと認められる。
　また、請求項１の「電極っであって」は「電極であって」の誤記と認められるから、結局、本件補正後の請求項２に係る発明（以下、「本願補正発明」という。）は、次の事項により特定されるものと認められる。
「ａ．第１の組の電極と、
　ｂ．前記第１の組の電極に対して交差パターンで配置された第２の組の電極であって、前記第１の組の電極と該第２の組の電極は互いに接触しないようにされていることからなる第２の組の電極と、
　ｃ．粒子ベースの、非放射性ディスプレイと、
　ｄ．複数の非線形要素
とからなる印刷可能な電子ディスプレイシステムであって、
　該ディスプレイ及び前記非線形要素は、交差領域において、少なくともいくつかの前記第１の組の電極を、対応する前記第２の組の電極に電気的に結合するために、前記第１の組の電極と第２の組の電極の間に配置され、
　前記非放射性ディスプレイが、回転球式ディスプレイであり、
　前記非線形要素が印刷可能であることからなる、ディスプレイシステム。」
　
　一方、本件補正前の請求項１ないし３は、
「【請求項１】
　ａ．第１の組の電極と、
　ｂ．前記第１の組の電極に対して交差パターンで配置された第２の組の電極っであって、前記第１の組の電極と該第２の組の電極は互いに接触しないようにされていることからなる第２の組の電極と、
　ｃ．粒子ベースの、非放射性ディスプレイと、
　ｄ．複数の非線形要素
とからなる印刷可能な電子ディスプレイシステムであって、
該ディスプレイ及び前記非線形要素は、交差領域において、少なくともいくつかの前記第１の組の電極を、対応する前記第２の組の電極に電気的に結合するために、前記第１の組の電極と第２の組の電極の間に配置されることからなる、ディスプレイシステム。
【請求項２】
　前記非放射性ディスプレイが、電気泳動式ディスプレイである、請求項１のディスプレイシステム。
【請求項３】
　前記非放射性ディスプレイが、回転球式ディスプレイである、請求項１のディスプレイシステム。」
であって、この請求項３を独立形式にするとともに、上記「電極っであって」の誤記を訂正すると、本件補正前の請求項３は、
「ａ．第１の組の電極と、
　ｂ．前記第１の組の電極に対して交差パターンで配置された第２の組の電極であって、前記第１の組の電極と該第２の組の電極は互いに接触しないようにされていることからなる第２の組の電極と、
　ｃ．粒子ベースの、非放射性ディスプレイと、
　ｄ．複数の非線形要素
とからなる印刷可能な電子ディスプレイシステムであって、
該ディスプレイ及び前記非線形要素は、交差領域において、少なくともいくつかの前記第１の組の電極を、対応する前記第２の組の電極に電気的に結合するために、前記第１の組の電極と第２の組の電極の間に配置され、
　前記非放射性ディスプレイが、回転球式ディスプレイである、ことからなる、ディスプレイシステム。」となる。
　
　したがって、本件補正は、本件補正前の請求項３について、「前記非線形要素が印刷可能である」との事項を限定して特許請求の範囲を減縮し、本件補正後の請求項２とするものと認められるので、以下に、本願補正発明について、独立特許要件の検討を行う。
　
２．独立特許要件についての検討　
（１）引用例
　原査定の拒絶の理由に引用された本願優先権主張日前の１９９７年２月６日に発行された国際公開第９７／０４３９８号（以下、「引用例」という。）には、図とともに次の記載がある。（なお、引用例に係る国際特許出願についての国内公表公報である特表平１１−５０２９５０号公報の該当部分の記載を訳文として併記する。）
　
ａ．「 CLAIMS   What is claimed is: 
1. An electronic book  comprising multiple electronically addressable page displays in which each page display comprises a substrate, address lines and electronically addressable contrast media and in which means are provided for individually addressing said page displays which form in their composite a page display ensemble.
　…
10. The book of claim 1 in which said address lines or said contrast media or both are applied by means of vacuum deposition,sputtering,photolithography electroplating ,screenprinting ,automated fluid dispensing metal salt reduction,or printed via ink jet systems or laser printer sysytem.
　…
20.The book of claim 1 in which row lines or column lines or both are analog selected.
21.The book of claim 20 in which logic elements are formed by means of a printed process.
22. The book of claim 20 in which said analog selecting comprises switches which further consisit  of moving elements or contacts.
23. The book of claim 20 in which said analog selecting comprises switches which further consisit  of solid state elements.
　…
26. The book of claim 1 in which row lines or column lines or both are digital selected. 　…
28. The book of claim 26 in which said digital selecting comprises switches which further consist of solid state elements. …
31. The book of claim 26 in which logic element are formed by means of a printed process.」（第２４頁１行〜第２８頁８行）
「【特許請求の範囲】
１．複数の電子的にアドレス指定可能なページディスプレイ(100)を含む電子ブック(10)であって、該ページディスプレイの各々が、紙の厚みを有するフレキシブルな基板(105)と、該基板(105)の表面上に形成されたアドレスライン(110)および電子的にアドレス指定可能なコントラスト媒体(120)と、複合体内にページディスプレイアンサンブル(20)を形成する該ページディスプレイ(100)を個別にアドレス指定するために設けられた手段(220)とを含む、電子ブック(10)。
　…
10．前記アドレスライン(110)または前記コントラスト媒体(120)またはその両方が、真空蒸着、スパッタリング、フォトリソグラフィ電気めっき、スクリーン印刷、自動化された流体ディスペンシング金属塩還元、またはインクジェットシステムまたはレーザプリンタシステムを介したプリントという手段により適用される、請求項１に記載のブック。
　…
20．行ライン(230)または列ライン(210)またはその両方がアナログ選択される、請求項１に記載のブック。
21．論理素子が、プリントプロセスという手段により形成されている、請求項20に記載のブック。
22．前記アナログ選択が、さらに可動素子または接点からなるスイッチを含む、請求項20に記載のブック。
23．前記アナログ選択が、さらに固体素子からなるスイッチを含む、請求項20に記載のブック。
　…
26．行ライン(230)または列ライン(210)またはその両方がディジタル選択される、請求項１に記載のブック。　…
28．前記ディジタル選択が、さらに固体素子からなるスイッチを含む、請求項26に記載のブック。　…
31．論理素子が、プリントプロセスという手段により形成されている、請求項26に記載のブック。」（第２頁１行〜第４頁２２行）
　
ｂ．「Referring to FIG. 2A said book 10 contains electronically addressable page displays 100 which combine to form an ensemble of multiple page displays 20. Said book may additionally comprise a cover 140 and spine 130 which may hold various elements as described in reference to Figure 1. Such page displays 100 are composed of a substrate 105, an electronically addressable contrast media 120, and address lines 110. Said book 10 and said page displays 100 are configured such that substantially different information can be written or electronically `typeset` on the different page displays 100 which comprise the multiple page ensemble 20.」（第６頁２０〜３１行）
「図２Ａを参照すると、上記ブック１０は、組み合わされて複数ページディスプレイ２０のアンサンブルを形成する電子的にアドレス指定可能なページディスプレイ１００を含む。このブックは、図１を参照して説明したような種々の要素を保持し得るカバー１４０および背表紙１３０をさらに含み得る。そのようなページディスプレイ１００は、基板１０５、電子的にアドレス指定可能なコントラスト媒体１２０、およびアドレスライン１１０からなる。このブック１０およびこのページディスプレイ１００は、実質的に異なる情報が、複数ページアンサンブル２０を含む異なるページディスプレイ１００上に書き込みまたは電子的に「植字」され得るように構成される。」（第１２頁１１行〜１９行））
　
ｃ．「In a preferred embodiment said page displays may be thin, low cost and formed on paper or paper like substrates. Such substrates may be real paper, synthetic paper, ultra thin glass, plastic, polymer, elastomer, thin metal, carbon fiber or other suitable material which embody some or a majority of paper like qualities including thinness, structure, manipulability or other characteristics normally associated with paper in its role as a hapticly and visually interactable display of information.」（第６頁３２行〜第７頁８行）
「好ましい実施態様において、上記ページディスプレイは、薄く、低コスト、かつ紙または紙様基板上に形成される。そのような基板は、薄さ、構造、操作性、または触覚的および視覚的にインタラクティブな情報ディスプレイの役割を果たす紙に通常関連した他の特性を含む紙様品質のいくらかまたは大部分を具現化する、本物の紙、合成紙、超薄ガラス、プラスチック、ポリマー、エラストマー、薄金属、カーボンファイバー、または他の適切な材料であり得る。」（第１２頁２０〜２５行）
　
ｄ．「Said address lines may be composed of transparent conducting polymers, transparent conductors such as Indium Tin Oxide, thin metal conductors or other suitable conductors. Such address lines may be applied by vacuum deposition, sputtering, photolithography or may be printed via ink jet systems or laser printer systems or may be applied via other appropriate means. Further such address lines may additionally be insulated with an appropriate insulator such as a non conducting polymer or other suitable insulator. Alternatively insulating layers may be applied in such manner to effect electrical isolation between row and row conducting lines, between row and column address lines, between column and column address lines or for other purposes of electrical isolation.」（第７頁９〜２２行）
「上記アドレスラインは、透明な導電性ポリマー、インジウム錫酸化物などの透明導電体、薄金属導電体、または他の適切な導電体からなり得る。このようなアドレスラインは、真空蒸着、スパッタリング、フォトリソグラフィによって設けられ、インクジェットシステムまたはレーザプリンタシステムを介してプリントされ、もしくは他の適切な手段を介して設けられ得る。さらに、このアドレスラインは、非導電性ポリマーのような適切な絶縁体または他の適切な絶縁体で追加的に絶縁され得る。また、行と行導電性ラインとの間、行と列アドレスラインとの間、列と列アドレスラインとの間に電気的絶縁を生じるために、または電気的絶縁の他の目的のために絶縁層が設けられ得る。」（第１２頁２６〜第１３頁５行）
　
ｅ．「Said contrast media may be electrochromic material, rotatable microencapsulated microspheres, polymer dispersed liquid crystals (PDLCs), polymer stabilized liquid crystals, surface stabilized liquid crystal, smectic liquid crystal, ferroelectric material, electroluminescent material or any other of a very large number of contrast media known in the prior art. Certain such contrast media, such as microencapsulated media may be printed via an ink jet or ink jet like system or may be applied via other appropriate means.」（第７頁２３〜３２行）
「上記コントラスト媒体は、通電変色(electrochromic)材料、回転可能なマイクロカプセル微小球、ポリマー分散型液晶(ＰＤＬＣ)、ポリマー安定型液晶、表面安定型液晶、スメクティック液晶、強誘電性材料、エレクトロルミネセンス材料、または従来技術において知られる非常に多くあるコントラスト媒体のうちの他のあらゆる材料であり得る。マイクロカプセル媒体などの特定のそのようなコントラスト媒体は、インクジェットまたはインクジェット様システムを介してプリントされ、もしくは他の適切な手段によって設けられ得る。」（第１３行６〜１２行）
　
ｆ．「Referring to  FIG. 6C  an electronically addressable page  100  may be constructed in which both column address lines and row address lines are digitally selected. Such a scheme minimizes the total number of address lines emanating from the page and may simplify connections to off board address logic. Such a scheme employs digital column switches  371 , digital column switch control lines  381  with ground  390  and column address line common terminal  395  as in  FIG. 6A-B  as well as digital row switches  373 , digital row switch control lines  383  with ground  391  and row address line common terminal  396 .」（第１２頁３行〜１３行）
「 図６Ｃを参照すると、電子的にアドレス指定可能なページ１００は、列アドレスラインおよび行アドレスラインの両方がディジタルに選択される構成にされ得る。そのような機構では、ページから出ているアドレスラインの合計数を最小にし、基板外の(offboard)アドレス論理への接続を単純化し得る。そのような機構は、図６Ａ-Ｂに示すようなディジタル列スイッチ３７１、接地３９０を有するディジタル列スイッチ制御ライン３８１、および列アドレスライン共通端子３９５を、さらにディジタル行スイッチ３７３、接地３９１を有するディジタル行スイッチ制御ライン３８３、および行アドレスライン共通端子３９６を採用する。」（第１６頁２３行〜第１７頁３行）
　
ｇ．「Referring to FIGS. 7A-7D, a great many electronically addressable contrast media are known in the literature and prior art. In one embodiment a dielectric sphere 440 with substantially different contrast hemispheres may be microencapsulated in a microcapsule 420 and may be free to rotate in a fluid 430. The orientation of such a sphere may be controlled via the applied potential difference between electrode or address line 400 and 410. If one or both such electrodes are substantially transparent then an electronically addressable contrast may be effected. Such systems are known to posses inherent bistability or memory during open circuit due to electrostatic stiction.」（第１３頁２〜１３行）
「 図７Ａ-Ｄを参照するように、非常に多くの電子的にアドレス指定可能なコントラスト媒体が文献および従来技術において知られている。１つの実施態様において、実質的に異なるコントラスト半球を有する誘電球体４４０が、マイクロカプセル４２０中にマイクロカプセル内蔵され得、流体４３０中で自由に回転し得る。そのような球体の配向は、電極またはアドレスライン４００と４１０との間に印加される電位差を介して制御され得る。そのような電極の一方または両方が、実質的に透明である場合、電子的にアドレス指定可能なコントラストが生じる。そのようなシステムは、オープン回路の間、静電固着(electrostaticstiction)により本質的に双安定性または記憶(memory)を有することが知られている。」（第１７頁１８〜２６行）
　
ｈ．「Referring to FIGS. 9A-9E, several schemes are known in the literature and the prior art for effecting an electronic switch or transistor function without moving parts. Referring to the upper figure address input line 510 is electrically isolated from address output line 520. …. By incorporating a control gate 700 a field-effect transistor in this case employing a dipthalocyanine thin film may be realized as is known in the literature. Such a structure may act as an address control line switch as said gate 700 may substantially control the flow of current from said address input line 510 to said address output line 520.」（第１８頁７〜２０行）
「図９Ａから図９Ｅを参照して、部品を動かさずに電子スイッチまたはトランジスタ機能を果たすための幾つかの機構が文献および先行技術において既知である。上方の図を参照して、アドレス入力ライン５１０は、アドレス出力ライン５２０から電気的に絶縁される。…制御ゲート７００を組み込むことにより、この場合はジフタロシアニン薄膜を用いる電界効果トランジスタは、文献において既知のように実現される。該ゲート７００が該アドレス入力ライン５１０から該アドレス出力ライン５２０への電流の流れを実質的に制御し得るため、そのような構造はアドレス制御ラインスイッチとして動作し得る。」（第２１頁１８〜２８行）
　
ｉ．「Referring to  FIGS. 9F-I  in addition to standard semiconductor technology which involves deposition and subsequent etching it may be useful, especially on atypical substrates, to deposit a semiconductor ink from which transistors and switches may be fabricated. …. Said semiconductive ink  943  may be applied by printing techniques to form switch or logic structures. As indicated in  FIGS. 9F-I  an NPN junction transistor may be fabricated consisting of a n-type emitter  950 , a p-type base  954  and a n-type collector  952 .
　Alternatively a field effect transistor may be printed such as a metal oxide semiconductor. 」（第２０行４〜３１行）
「図９Ｆから図９Ｉを参照して、堆積およびその後のエッチングを必要とする標準半導体技術の他、特に典型的でない基板の場合には、トランジスタおよびスイッチを作ることができる半導体インクを堆積することが有用であろう。…該半導体インク９４３は、プリンティング技術によって塗布され、スイッチまたは論理構造を形成し得る。図９Ｆから図９Ｉに示すように、ｎ型エミッタ９５０と、ｐ型ベース９５４と、ｎ型コレクタ９５２とからなるＮＰＮ接合トランジスタが製造され得る。
　あるいは、金属酸化物半導体などの電界効果トランジスタがプリントされ得る。」（第２３頁６〜２４行）
　
（２）引用発明
　上記記載のｇ．及び図７Ａを参照すれば、引用例には、流体４３０中で自由に回転し得る実質的に異なるコントラスト半球を有する誘電球体４４０を内蔵したマイクロカプセル４２０がアドレスライン４００と４１０との間に配置され、アドレスライン４００と４１０との間に印加される電位差を介して誘電球体４４０の配向が制御され、オープン回路の間はその配向状態が維持される電子的にアドレス指定可能なコントラスト媒体を用いたページディスプレイの発明が記載されているものと認められる。
　そして、このアドレスライン４００と４１０は、上記記載ａ．の20及び26に記載される行ライン及び列ラインにそれぞれ相当するものであり、上記記載ａ．の23及び28に記載されるように、また、例えば図６Ｃに示されるようにアドレスラインにスイッチを適用して、前記マイクロカプセル４２０に対する電子的なアドレス指定が行われるものであると認められる。
　また、引用例には、アドレスラインがインクジェットシステムまたはレーザプリンタシステムを介してプリントされ得ること（記載ｄ．及びａ．の10）、マイクロカプセル媒体などのコントラスト媒体がインクジェットまたはインクジェット様システムを介してプリントされ得ること（上記記載ｅ．及びａ．の10）、アドレスラインをスイッチするトランジスタがプリントされ得ること（上記記載ｉ．及びａ．の21,31）が記載されているから、引用例のページディスプレイは印刷可能なものであると認められる。
　
　以上のことから、引用例には
「複数の行アドレスラインと、
　前記行アドレスラインに対して接触しないように交差パターンで配置された複数の列アドレスラインと、
　流体中で自由に回転し得る実質的に異なるコントラスト半球を有する誘電球体を内蔵したマイクロカプセルと
　アドレスラインを選択するスイッチ
とからなる印刷可能なページディスプレイであって、
　前記マイクロカプセルは、前記行アドレスラインと前記列アドレスラインとの交差領域において、前記行アドレスラインと前記列アドレスラインとの間に配置されてなるページディスプレイ。」の発明（以下、「引用発明」という。）が記載されているものと認められる。
　
（３）対比
　本願補正発明と引用発明を対比するに、引用発明の「行アドレスライン」及び「列アドレスライン」が本願補正発明の「第１の組の電極」及び「第２の組の電極」にそれぞれ相当する。
　また、引用発明の「流体中で自由に回転し得る実質的に異なるコントラスト半球を有する誘電球体を内蔵したマイクロカプセル」は、粒子ベースの非放射性ディスプレイであって、本願補正発明の「回転球式ディスプレイ」に相当する。
　また、引用発明の「スイッチ」は、「非線形要素」といえるとともに、前記のごとく印刷可能である旨引用例に記載されている。
　さらに引用発明の「ページディスプレイ」が「印刷可能な電子ディスプレイシステム」であることは明らかである。
　
　したがって、両者は、ともに
「ａ．第１の組の電極と、
　ｂ．前記第１の組の電極に対して交差パターンで配置された第２の組の電極であって、前記第１の組の電極と該第２の組の電極は互いに接触しないようにされていることからなる第２の組の電極と、
　ｃ．粒子ベースの、非放射性ディスプレイと、
　ｄ．複数の非線形要素　
とからなる印刷可能な電子ディスプレイシステムであって、
　該ディスプレイは、交差領域において、前記第１の組の電極と第２の組の電極の間に配置され、
　前記非放射性ディスプレイが、回転球式ディスプレイであり、
　前記非線形要素が印刷可能であることからなる、ディスプレイシステム。」の発明である点で一致する。
　
　一方、次の点で相違する。
　本願補正発明は、複数の非線形要素が、該ディスプレイとともに、交差領域において、少なくともいくつかの前記第１の組の電極を、対応する前記第２の組の電極に電気的に結合するために、前記第１の組の電極と第２の組の電極の間に配置され、前記非線形要素が印刷可能であるとされているのに対し、引用発明の非線形要素はアドレスラインの選択をするものであって、本願補正発明のように交差領域の電極間に配置されるものでない点。
　
（４）判断
　上記相違点について検討する。
　非放射性ディスプレイに対する電子的なアドレス指定について、非放射性ディスプレイに所定のコントラストを与えるときは、非放射性ディスプレイの両端に電位を印加するとともに、オープン回路の間、即ち、非放射性ディスプレイの両端に電位が印加されない間は、そのコントラストを維持（記憶）するものにおいて、非放射性ディスプレイに対する電位の印加状態とオープン状態の制御を、引用発明はアドレスラインの選択によって行っているが、この制御を、両アドレスライン間に非線形要素と非放射性ディスプレイを直列に配置することにより行うことは、例えば、特開昭５１−３５２９８号公報（例えば第７図において、ストライプ状の電極３３と３４の交差領域に非線形素子である非晶質半導体層３６と非放射性ディスプレイである液晶層３７が直列に配置されている。）、特開昭５９−７３４０号公報（例えば第３図において、透明電極層１１、１１の交点部に非線形要素である酸化タンタル層１２と非放射性ディスプレイである液晶層１３が直列に配置されている。）、特開平３−２３４２８号公報（例えば第３図において、ストライプ電極３４の交差領域にバリスタ特性すなわち非線形性を示すＺｎＯ／Ｓｉ２Ｏ３積層膜と非放射性ディスプレイである液晶層３６が直列に配置されている。）、また、本願明細書第３頁６〜８行で引用する「A High Speed Electrophoretic Matrix Display」(Chiang,SID 1980 Technical Digest)（Figure 1において、TRANSPARENT ROW ELECTRODE　と COLUMN ELECTRODE の交差領域に、VARISTARからなる非線形素子と、BLUE FLUID とPOSITIVELY CHARGED WHITE PARTICLESからなる非放射性ディスプレイが直列に配置されている。）に記載されているように本願優先日前に周知であり、ここで、前記特開昭５１−３５２９８号公報には、前記非線形素子である非晶質半導体層３６を印刷により製作することが記載されているところであり（第３頁右下欄７行）、また、一般に非線形素子であるバリスタを印刷により作成することは、本願明細書で引用する「ヨシモト特許」（本願明細書第２頁２５〜２６行に記載の米国特許５０７０３２６号、５０６６１０５号、５２５０９３２号及び５１２８７８５号）にもみられるように本願優先日前に周知であることを考えれば、非放射性ディスプレイに対する電子的なアドレス指定を、スイッチによるアドレスラインの選択に代えて、本願補正発明の上記相違点に係る構成により行うことは、当業者が容易に想到し得たものと認められる。
　また、本願補正発明の効果についても、上記引用例に記載された事項及び上記周知技術に基づいて当業者が予測可能なものであって、格別のものとはいえない。
　したがって、本願補正発明は、上記引用発明及び上記周知技術に基いて、当業者が容易に発明できたものであるから、特許法第２９条第２項の規定により、特許出願の際独立して特許を受けることができない。
　
３．むすび
　よって、本件補正は、平成１４年改正前特許法第１７条の２第５項で準用する同法第１２６条第４項に規定する要件を満たしていないので、同法第１５９条第１項で読み替えて準用する同法第５３条第１項の規定により却下すべきものである。
　
III．本願発明について
１．本願発明
　平成１９年３月１９日付けの手続補正は上記のとおり却下されたので、本願の請求項に係る発明は、平成１８年９月１４日付け手続補正書の請求項１ないし４５に記載された事項によって特定されるものであるところ、その請求項３に係る発明（以下、「本願発明」という。）は、上記II．［II］１．において、本件補正前の請求項３として独立形式で記載した事項により特定されるものである。
　
２．判断
　本願発明は、本願補正発明において「前記非線形要素が印刷可能である」との発明特定事項を欠くものであるから、上記II．［II］２．での検討と同様の理由により、上記引用例に記載された発明及び上記周知技術に基いて、当業者が容易に発明できたものと認められる。
　　
３．むすび
　したがって、本願発明は、上記引用例に記載された発明及び上記周知技術に基いて当業者が容易に発明できたものであるから、特許法第２９条第２項の規定により特許を受けることができない。
　よって、結論のとおり審決する。